(57)【要約】【課題】測定対象を流れる電流の規定時間内の最大値および実効値の両値を誤認することなく正確に把握可能とし、かつ両値を把握するための操作を容易とし得る測定装置を提供する。【解決手段】測定対象をクランプ可能なクランプセンサ部２ａ（電流検出センサ）を有して測定対象を流れる電流の電流値を測定する測定部と、測定結果を表示する表示部４と、測定部によって測定された電流値に基づいて測定対象を流れる電流の予め規定された時間内における最大値および実効値をそれぞれ特定すると共に、特定した最大値を示す最大値表示１２、および実効値を示す実効値表示１１を測定結果として表示部４に並べて表示させる処理部とを備えている。【選択図】図２
2016031287.tif 000002
【特許請求の範囲】
【請求項１】
測定対象をクランプ可能な電流検出センサを有して当該測定対象を流れる電流の電流値を測定する測定部と、
測定結果を表示する表示部と、
前記測定部によって測定された電流値に基づいて前記測定対象を流れる電流の予め規定された時間内における最大値および実効値をそれぞれ特定すると共に、特定した当該最大値および当該実効値を前記測定結果として前記表示部に並べて表示させる処理部とを備えている測定装置。
【請求項２】
前記測定部は、交流電流の電流値を測定可能に構成され、
前記処理部は、前記測定部によって測定された前記交流電流の電流値に基づいて特定した前記予め規定された時間内における最大値と共に、当該最大値の極性を示す図柄を前記表示部に表示させる請求項１記載の測定装置。
【発明の詳細な説明】
【技術分野】
【０００１】
本発明は、測定対象をクランプ可能な電流検出センサを有する測定部によって測定対象を流れる電流の電流値を測定して測定結果を表示部に表示可能に構成された測定装置に関するものである。
【背景技術】
【０００２】
この種の測定装置として、出願人は、測定対象をクランプ可能なクランプ部を備えて測定対象を流れる電流の電流値を測定対象に対して非接触で測定可能な電流測定装置（クランプ式の測定装置）を下記の特許文献に開示している。この電流測定装置を用いた電流の測定に際しては、クランプ部によって測定対象の導線をクランプすると共に、操作部を操作して測定開始を指示する。この際には、制御部が、測定部を制御して測定処理を実行させ、測定部が、クランプ部における一対のセンサから出力される検出信号に基づいて導線を流れる電流の電流値を測定する。また、制御部は、測定部によって測定された電流値を測定結果として表示部に表示させる。これにより、測定対象の導線を流れる電流の測定処理が完了する。
【先行技術文献】
【特許文献】
【０００３】
【特許文献１】特開２０１１−１０６９７６号公報（第５−１０頁、第１−５図）
【発明の概要】
【発明が解決しようとする課題】
【０００４】
ところが、出願人が開示している電流測定装置には、以下のような改善すべき課題が存在する。すなわち、出願人が開示している電流測定装置では、クランプ部によって測定対象をクランプした状態で測定開始を指示することで測定処理が実行され、測定された電流値が測定結果として表示部に表示される構成が採用されている。この場合、この種の測定装置の使用態様の１つとして、測定対象を流れる突入電流の測定がある。また、出願人が開示している電流測定装置は、測定部によって繰り返し測定される電流値に応じて表示部に表示させる測定結果（電流値）を逐次表示替えさせる通常の測定モードだけでなく、予め規定された時間内に測定された最大の電流値を表示部に表示させた状態を維持するピークホールドモードによる測定処理を実行することが可能となっている。これにより、出願人が開示している電流測定装置では、例えば、電動機に電源を投入した際に電源ケーブルを流れた突入電流の最大値を測定して表示部に表示させることが可能となっている。
【０００５】
一方、例えば、電源設備に配設するブレーカの定格電流や電源線の定格電流を規定する際には、ピークホールドモードにおいて測定される最大値（瞬時値）だけではなく、突入電流の実効値を把握する必要がある。そこで、出願人は、測定対象を流れる電流の実効値を測定する実効値測定モードを用意して、利用者によって実効値測定モードが選択されたときに、制御部が、測定部によって測定された電流値に基づいて実効値を演算し、演算した実効値を測定結果として表示部に表示させるよう電流測定装置を改良した。これにより、規定時間内の最大値を把握したいときには、ピークホールドモードを選択する操作を行った後に測定処理を開始させる処理開始操作を行うことで最大値を測定させて表示部に表示させ、実効値を把握したいときには、実効値測定モードを選択する操作を行った後に処理開始操作を行うことで実効値を測定させて表示部に表示させることが可能となった。
【０００６】
しかしながら、出願人が改良した電流測定装置では、測定対象を流れる電流の規定時間内の最大値および実効値の双方を把握したときに、ピークホールドモードを選択した状態における測定処理、および実効値測定モードを選択した状態の測定処理の２回の測定処理を実行する必要があり、測定モードを切り替える操作や、測定処理を開始させる処理開始操作が煩雑になっているという現状がある。また、実効値を把握したいときに（実効値測定モードを選択すべきとき）に操作を誤ってピークホールドモードを選択したときには、測定処理によって表示部に表示される最大値が実効値であると誤って認識されるおそれがあり、最大値を把握したいときに（ピークホールドモードを選択すべきとき）に操作を誤って実効値測定モードを選択したときには、測定処理によって表示部に表示される実効値が最大値であると誤って認識されるおそれがある。このため、これらの点を改善するのが好ましい。
【０００７】
本発明は、かかる改善すべき課題に鑑みてなされたものであり、測定対象を流れる電流の規定時間内の最大値および実効値の両値を誤認することなく正確に把握可能とし、かつ両値を把握するための操作を容易とし得る測定装置を提供することを主目的とする。
【課題を解決するための手段】
【０００８】
上記目的を達成すべく請求項１記載の測定装置は、測定対象をクランプ可能な電流検出センサを有して当該測定対象を流れる電流の電流値を測定する測定部と、測定結果を表示する表示部と、前記測定部によって測定された電流値に基づいて前記測定対象を流れる電流の予め規定された時間内における最大値および実効値をそれぞれ特定すると共に、特定した当該最大値および当該実効値を前記測定結果として前記表示部に並べて表示させる処理部とを備えている。
【０００９】
また、請求項２記載の測定装置は、請求項１記載の測定装置において、前記測定部は、交流電流の電流値を測定可能に構成され、前記処理部は、前記測定部によって測定された前記交流電流の電流値に基づいて特定した前記予め規定された時間内における最大値と共に、当該最大値の極性を示す図柄を前記表示部に表示させる。
【発明の効果】
【００１０】
請求項１記載の測定装置によれば、処理部が、測定部によって測定された電流値に基づいて測定対象を流れる電流の予め規定された時間内における最大値および実効値をそれぞれ特定すると共に、特定した最大値および実効値を測定結果として表示部に並べて表示させることにより、実効値を測定する測定モードおよび最大値を測定する測定モードのいずれかを選択する選択操作が不要になると共に、実効値を測定する測定モードを選択した状態で測定処理を開始させる処理開始操作、および最大値を測定する測定モードを選択した状態で測定処理を開始させる処理開始操作の２回に亘る処理開始操作を不要として１回の処理開始操作を行うだけで最大値および実効値を処理部に特定させることができるため、測定対象を流れる電流の実効値および最大値を把握するための操作が容易となる。また、測定モードの選択が不要となることで測定モードの誤った選択を回避することができるため、実効値を把握すべきときに最大値が測定されて表示部に表示された最大値を実効値であると誤認したり、最大値を把握すべきときに実効値が測定されて表示部に表示された実効値を最大値であると誤認したりする事態を好適に回避できる結果、実効値および最大値を正確に把握することができる。さらに、例えば、測定された電流値に基づいて特定される実効値および最大値をそれぞれ別個の表示画面に表示させる構成の測定装置とは異なり、実効値および最大値が表示部に並んで表示されることで、表示されている実効値が最大値であるとの誤認や、表示されている最大値が実効値であるとの誤認を招くことがないため、実効値および最大値を正確に把握することができると共に、実効値を表示する表示画面および最大値を表示する表示画面のいずれかを表示させる切替え操作が不要のため、測定対象を流れる電流の実効値および最大値を把握するための操作が容易となる。
【００１１】
また、請求項２記載の測定装置によれば、処理部が、測定部によって測定された交流電流の電流値に基づいて特定した予め規定された時間内における最大値と共に、最大値の極性を示す図柄を表示部に表示させることにより、この種の装置に使用に不慣れな利用者であっても、最大値と共に表示部に表示される図柄（極性を示す表示）を見ることで、＋（プラス）側に最大値（ピーク値）が存在するのか、または−（マイナス）側に最大値（ピーク値）が存在するのかを正確に認識することができる。
【図面の簡単な説明】
【００１２】
【図１】電流測定装置１の構成を示すブロック図である。
【図２】実効値表示１１、最大値表示１２および極性表示１３などを表示部４に表示させた状態の電流測定装置１の外観図である。
【発明を実施するための形態】
【００１３】
以下、測定装置の実施の形態について、添付図面を参照して説明する。
【００１４】
図１，２に示す電流測定装置１は、「測定装置」の一例であるクランプ式電流測定装置であって、測定部２、操作部３、表示部４、制御部５および記憶部６を備えて、測定対象を流れる電流の電流値を測定対象に対して非接触の状態で測定することができるように構成されている。測定部２は、「測定部」の一例であって、「測定対象をクランプ可能な電流検出センサ」の一例であるクランプセンサ部２ａを備えている。この測定部２は、制御部５の制御に従い、クランプセンサ部２ａによってクランプした図示しない測定対象を流れる電流の電流値（瞬時値）を予め規定されたサンプリング周期でサンプリングして（測定して）測定値データＤ０を順次出力する。
【００１５】
操作部３は、測定モードの切替えを行う切替えスイッチや、表示部４に表示されている測定結果をホールド／ホールド解除（測定値の表示替えの規制、および規制の解除）を行うためのＨＯＬＤスイッチなどの各種の操作スイッチを備え、スイッチ操作に応じた操作信号を制御部５に出力する。表示部４は、「表示部」の一例であって、制御部５の制御に従い、図２に示すように、測定対象を流れる電流の実効値を示す実効値表示１１と、予め規定された時間内の最大値（最大の電流値：最大波高値であって、±の絶対値で大きい方の値）を示す最大値表示１２とを「測定結果」として表示画面の上下方向に並べて表示すると共に、最大値の極性を示す極性表示１３、交流電流を測定する測定モードが選択されていることを示す交流測定モード表示１４、およびバッテリの残量を示す図柄などを表示する。
【００１６】
制御部５は、「処理部」の一例であって、電流測定装置１を総括的に制御する。具体的には、制御部５は、操作部３のスイッチ操作によって選択された測定モードに応じて測定部２を制御することにより、クランプセンサ部２ａによってクランプされている測定対象を流れる電流の電流値を測定させる。また、制御部５は、測定部２から出力される測定値データＤ０を記憶部６に順次記憶させると共に、記憶部６から読み出した測定値データＤ０に基づき、選択されている測定モードに応じた測定結果を特定する。さらに、制御部５は、特定した測定結果を示す測定結果データＤ１を生成すると共に、測定結果データＤ１に基づく測定結果の表示部４への表示を実行する。記憶部６は、測定部１１から出力される測定値データＤ０を記憶すると共に、制御部５の演算結果や制御部５によって生成された測定結果データＤ１などを記憶する。
【００１７】
この場合、本例の電流測定装置１では、後述するように、測定対象を流れている直流電流の電流値を測定する通常の直流電流測定モード、および測定対象を流れている交流電流の電流値を測定する通常の交流電流測定モード（以下、これらの測定モードについて区別しないときには「通常測定モード」ともいう）における測定処理に加えて、直流電流の突入電流を測定する直流突入電流測定モード、および交流の突入電流を測定する交流突入電流測定モード（以下、これらの測定モードについて区別しないときには「突入電流測定モード」ともいう）における測定処理を実行可能に構成されている。
【００１８】
また、本例の電流測定装置１では、後述するように、突入電流測定モードが選択されたときに、測定部２から出力される測定値データＤ０に基づき、予め規定された時間内に測定された最大の電流値（最大値）、および実効値をそれぞれ特定し、特定した結果を測定結果として表示部４に表示させる構成が採用されている。なお、実際の電流測定装置１では、各測定モード毎に測定レンジを手動で選択したり自動選択させたりする処理が行われるが、電流測定装置１の動作原理についての理解を容易とするために、測定レンジの選択に関する説明を省略する。
【００１９】
この電流測定装置１を使用して、例えば、電源ケーブルを流れている直流電流や交流電流の電流値を通常に測定する際には、操作部３のスイッチ操作（選択操作）によって直流電流測定モード、または交流電流測定モードを選択した後に、操作部３のスイッチ操作（処理開始操作）によって測定処理の開始を指示すると共に、クランプセンサ部２ａによって電源ケーブルをクランプする。この場合、測定部２が、制御部５の制御に従い、クランプセンサ部２ａを介して、電源ケーブルを流れている電流の電流値を測定して測定値データＤ０を出力し、制御部５が、測定部２から出力される測定値データＤ０を記憶部６に記憶させると共に、測定値データＤ０に基づいて測定結果データＤ１を生成して記憶部６に記憶させ、その値（電流値）を測定結果として表示部４に数値表示させる（図示せず）。この際に、測定部２は、制御部５の制御に従って電流値の測定処理を繰り返して実行し、制御部５は、測定部２から新たな測定値データＤ０が出力される都度、その測定値データＤ０を記憶部６に記憶させつつ、測定値データＤ０に基づいて新たに生成した測定結果データＤ１の値で表示部４の測定結果を逐次表示替えさせる。これにより、電源ケーブルを流れる電流の変化に応じて最新の電流値が測定結果として表示部４に数値表示される。
【００２０】
一方、例えば、電源ケーブルやブレーカの定格電流を規定するために、電源ケーブルを流れる交流の突入電流を測定する際には、操作部３のスイッチ操作（選択操作）によって交流突入電流測定モードを選択した後に、操作部３のスイッチ操作（処理開始操作）によって測定処理の開始を指示すると共に、電流を供給していない状態の電源ケーブルをクランプセンサ部２ａによってクランプする。この際に、制御部５は、表示部４を制御して、「実効値」および「最大値」の双方を測定する「突入電流測定モード」が選択されていることを示す表示（一例として「INRUSH」との文字列、および「PEAK」との文字列：図２参照）と、交流電流を測定する測定モードが選択されていることを示す交流測定モード表示１４（図２参照）とを表示させる。
【００２１】
また、制御部５は、測定部２を制御して電流値の測定処理を開始させる。これに応じて、測定部２が測定処理を開始して「０Ａ」との値の測定値データＤ０を出力し、制御部５が測定部から出力された測定値データＤ０を記憶部６に記憶させる。また、制御部５は、測定部２から出力された測定値データＤ０の値が予め規定されたしきい値（一例として、±５Ａ）を超えたか否かの監視を開始すると共に、しきい値を超えていないこの時点においては、「INRUSH」との文字列の右側に「０．０Ａ」との実効値表示１１を表示させ、かつ「PEAK」との文字列の右側に「０Ａ」との最大値表示１２を表示させる（図示せず）。
【００２２】
次いで、クランプセンサ部２ａによってクランプしている電源ケーブルに対する交流電流の供給を開始する。この際には、測定部２によって電源ケーブルを流れる交流電流の電流値が逐次測定されて測定値データＤ０が出力され、制御部５が、測定部２から測定値データＤ０が出力される都度、その測定値データＤ０を記憶部６に記憶させる。また、制御部５は、測定値データＤ０の値（絶対値）が予め規定されたしきい値を超えた時点（すなわち、電源ケーブルに対する交流電流の供給が開始された時点）から１００ｍ秒が経過したときに（「予め規定された時間」が「１００ｍ秒」の例）、測定部２を制御して電流値の測定処理を終了させると共に、記憶部６に記憶されている最新の１００ｍ秒分の測定値データＤ０に基づく「実効値」および「最大値」の特定処理を開始する。これにより、電源ケーブルを流れた１００ｍ秒内の最大値および実効値が制御部５によってそれぞれ特定されて測定結果データＤ１が生成される。なお、「予め規定された時間」については、「１００ｍ秒」以外の任意の時間に規定することができる。
【００２３】
この際に、図２に示すように、制御部５は、測定結果データＤ１に基づき、実効値（一例として、「９５．８Ａ」）を示す文字列で実効値表示１１を表示替えさせると共に、最大値（一例として、「−２６３Ａ」）を示す文字列で最大値表示１２を表示替えさせる。また、制御部５は、最大値表示１２として表示させている交流電流の「最大値」の極性が「＋」および「−」のいずれであるかを特定し、特定した極性に応じて極性表示１３を最大値表示１２と共に表示部４に表示させる。この場合、本例の電流測定装置１では、一例として、特定した極性が「＋」のとき（交流電流のマイナス側にピーク値があるとき）には、交流波形を示す図柄（波形の図柄）および上向きの矢印を極性表示１３として表示させ、特定した極性が「−」のとき（交流電流のプラス側にピーク値があるとき）には、交流波形を示す図柄および下向きの矢印を極性表示１３として表示させる構成が採用されている。これにより、実効値表示１１、最大値表示１２および極性表示１３を見た利用者は、クランプセンサ部２ａによってクランプしている電源ケーブルを流れた交流の突入電流の実効値が「９５．８Ａ」であり、最大値が「−２６３Ａ」であると認識する。以上により、交流の突入電流に関する測定処理が完了する。
【００２４】
なお、図示および詳細な説明を省略するが、測定対象を流れる直流電流の突入電流を測定する際には、操作部３のスイッチ操作（選択操作）によって直流突入電流測定モードを選択した後に、操作部３のスイッチ操作（処理開始操作）によって測定処理の開始を指示すると共に、電流を供給していない状態の電源ケーブルをクランプセンサ部２ａによってクランプし、その後に、電源ケーブルに対する直流電流の供給を開始する。この際には、交流測定モード表示１４が非表示に制御されると共に、測定部２から出力された測定値データＤ０に基づいて制御部５によって特定された「実効値」および「最大値」を示す実効値表示１１および最大値表示１２が表示部４に表示され、かつ最大値の極性が「＋」だけであるため、極性表示１３が非表示に制御される。これにより、利用者は、実効値表示１１および最大値表示１２を見ることで、クランプセンサ部２ａによってクランプされている電源ケーブルを流れた直流電流の突入電流の実効値や最大値を認識することが可能となる。
【００２５】
このように、この電流測定装置１によれば、制御部５が、測定部２によって測定された電流値に基づいて測定対象を流れる電流の予め規定された時間内における最大値および実効値をそれぞれ特定すると共に、特定した最大値を示す最大値表示１２、および実効値を示す実効値表示１１を「測定結果」として表示部４に並べて表示させることにより、実効値を測定する測定モードおよび最大値を測定する測定モードのいずれかを選択する選択操作が不要になると共に、実効値を測定する測定モードを選択した状態で測定処理を開始させる処理開始操作、および最大値を測定する測定モードを選択した状態で測定処理を開始させる処理開始操作の２回に亘る処理開始操作を不要として１回の処理開始操作を行うだけで最大値および実効値を制御部５に特定させることができるため、測定対象を流れる電流の実効値および最大値を把握するための操作が容易となる。また、測定モードの選択が不要となることで測定モードの誤った選択を回避することができるため、実効値を把握すべきときに最大値が測定されて表示部に表示された最大値を実効値であると誤認したり、最大値を把握すべきときに実効値が測定されて表示部に表示された実効値を最大値であると誤認したりする事態を好適に回避できる結果、実効値および最大値を正確に把握することができる。さらに、例えば、測定された電流値に基づいて特定される実効値および最大値をそれぞれ別個の表示画面に表示させる構成の測定装置とは異なり、実効値および最大値が表示部に並んで表示されることで、表示されている実効値が最大値であるとの誤認や、表示されている最大値が実効値であるとの誤認を招くことがないため、実効値および最大値を正確に把握することができると共に、実効値を表示する表示画面および最大値を表示する表示画面のいずれかを表示させる切替え操作が不要のため、測定対象を流れる電流の実効値および最大値を把握するための操作が容易となる。
【００２６】
また、この電流測定装置１によれば、制御部５が、測定部２によって測定された交流電流の電流値に基づいて特定した予め規定された時間内における最大値を示す最大値表示１２と共に、最大値の極性を示す極性表示１３を表示部４に表示させることにより、この種の装置に使用に不慣れな利用者であっても、最大値表示１２と共に表示部４に表示される極性表示１３を見ることで、＋（プラス）側に最大値（ピーク値）が存在するのか、または−（マイナス）側に最大値（ピーク値）が存在するのかを正確に認識することができる。
【００２７】
なお、測定装置の構成は、上記の電流測定装置１の構成に限定されない。例えば、「特定した最大値および実効値を測定結果として表示部に並べて表示させる」との処理は、上記の電流測定装置１における実効値表示１１および最大値表示１２のように上下（縦）方向に並べて表示させる処理に限定されず、「実効値」および「最大値」を左右（横）方向に並べて表示させてもよい。また、交流の突入電流の測定に際して極性表示１３を表示させない構成を採用することもできる。
【符号の説明】
【００２８】
１  電流測定装置
２  測定部
２ａ  クランプセンサ部
４  表示部
５  制御部
１１  実効値表示
１２  最大値表示
１３  極性表示
１４  交流測定モード表示
Ｄ０  測定値データ
Ｄ１  測定結果データ
【図１】
2016031287.tif 000003
【図２】
2016031287.tif 000004